(57)【要約】【課題】従来の冷房／暖房運転が可能な空気調和機に温水を加熱する装置を付加することにより、容易に床暖房運転を可能とした空気調和機を提供する。【解決手段】冷房／暖房運転が可能な空気調和機の室内機の運転制御を行なう室内ユニット制御装置と室外機の運転制御を行なう室外ユニット制御装置の間に温水ユニットの運転制御を行なう温水ユニット制御装置を直列に中継接続し、この温水ユニット制御装置にて、室内ユニット制御装置からの信号を置換して、室外ユニット制御装置に送信することで、冷房／暖房運転が可能な空気調和機の室外機をそのまま利用して床暖房運転を可能とする。【選択図】　　　　図１
2004028522.tif 000002
【特許請求の範囲】
【請求項１】
室内に配置され室内空気を加温又は冷却する室内熱交換器と室内ユニット制御装置を有する室内機と、前記室内熱交換器と配管で順次接続され冷媒回路を構成する圧縮機、冷暖房切換用の四方弁、室外熱交換器および減圧装置と室外ユニット制御装置を有する室外機と、前記冷媒回路に流れる冷媒と水またはブラインとを熱交換させる温水熱交換器、床暖房放熱パネルおよび循環ポンプを温水配管で接続して温水を循環させる水回路を構成する前記温水熱交換器と循環ポンプと温水ユニット制御装置を有した温水ユニットと、前記室内ユニット制御装置と前記室外ユニット制御装置との間に前記温水ユニット制御装置を直列に接続して通信を行う通信手段と、を備えたことを特徴とする空気調和機。
【請求項２】
前記室内ユニット制御装置から送信される運転情報を前記温水ユニット制御装置で受信して前記温水ユニットを駆動制御するとともに、前記室外機に必要な運転情報に変換して前記室外ユニット制御装置へ送信することを特徴とする請求項１記載の空気調和機。
【請求項３】
前記温水ユニットに接続され温水を循環させて熱を室内に放出する床暖房放熱パネルと使用者が運転情報を入力する入力装置を備え、床暖房運転と冷暖房空調運転とを一つの入力装置で操作可能としたことを特徴とする請求項１記載の空気調和機。
【発明の詳細な説明】
【０００１】
【発明の属する技術分野】
この発明は、冷／暖房運転が可能な空気調和機に、温水を加熱する装置を付加することにより容易に床暖房運転を併用可能とする空気調和機に関する。
【０００２】
【従来の技術】
従来の床暖房可能な空気調和機は、例えば、特開２０００−５５４４５号公報に示されるように、圧縮機１０１、凝縮器としての温水熱交換器１１１、電動膨張弁１０４および蒸発器１０３が環状に配管接続された冷媒回路と、前記温水熱交換器を介して循環ポンプ１１３により温水が循環する床暖房パネル１１２とを備えている。この空気調和機はヒートポンプにより温水熱交換器で温水を加熱し、その加熱された温水は、温水熱交換器から循環ポンプにより床暖房パネルを循環する。また、この空気調和機は、暖房運転時に前記凝縮器として温水熱交換器以外に温水熱交換器と並列に配管接続された室内熱交換器を室内ユニットに備え、その室内ユニットの空気調和による暖房運転を床暖房の補助として行なっている。
【０００３】
また、この空気調和機は、室内温度センサ１２３からの室内温度を表す信号と入力装置（リモートコントローラ）１１７からの信号とを受けて、室内ファン１２２や水平フラップ１２４等を制御する室内ユニット用制御装置１１６と、室外機の圧縮機１０１や室外ファン１２１や電動膨張弁１０４の駆動を制御する室外ユニット用制御装置１１４と、温度センサ１２０からの温水の温度を表す信号と入力装置（リモートコントローラ）１１９からの信号とを受けて、床暖房を制御する床暖房制御装置１１８とを備えている。上記室外ユニット用制御装置１１４、室内ユニット用制御装置１１６および床暖房制御装置１１８は、夫々マイクロコンピュータおよび入出力回路等からなり、室内ユニット用制御装置と室外ユニット用制御装置との間で制御信号を互いに送受信すると共に、床暖房制御装置と室外ユニット用制御装置との間で制御信号を互いに送受信している。
【０００４】
【発明が解決しようとする課題】
しかしながら、上記特開２０００−５５４４５号公報に示される空気調和機において、温水熱交換器と室内熱交換器が、冷媒回路において並列に接続されていることから、室内ユニット用制御装置と室外ユニット用制御装置との間で制御信号を互いに送受信すると共に、床暖房制御装置と室外ユニット用制御装置との間でも制御信号を互いに送受信を行なわなければならず、設置時に２箇所の通信用工事が必要であった。また、床暖房運転を行なうためには床暖房専用の空気調和機の室外機が必要になるという欠点があった。
【０００５】
また、運転に指令を与える入力装置においても、室内ユニット用制御装置専用の入力装置（リモートコントローラ）１１７と、床暖房制御装置専用の入力装置（リモートコントローラ）１１９が夫々個別に設けられており、室内ユニット用制御装置専用の入力装置（リモートコントローラ）１１７から床暖房制御装置、または、その逆で床暖房制御装置専用の入力装置（リモートコントローラ）１１９で、室内ユニット用制御装置を操作することは不可能であった。
【０００６】
そこで、本発明の目的は、床暖房運転を行なうための専用室外機を設けることなく、冷暖房可能な従来からの空気調和機に温水ユニットを付加するだけで容易に床暖房を併用可能とし、更に床暖房運転を空気調和機用の入力装置（リモートコントローラ）を用いて制御することが可能な空気調和機を提供することにある。
【０００７】
【課題を解決するための手段】
本発明に係る空気調和機は、室内に配置され室内空気を加温又は冷却する室内熱交換器と室内ユニット制御装置を有する室内機と、前記室内熱交換器と配管で順次接続され冷媒回路を構成する圧縮機、冷暖房切換用の四方弁、室外熱交換器および減圧装置と室外ユニット制御装置を有する室外機と、前記冷媒回路に流れる冷媒と水またはブラインとを熱交換させる温水熱交換器、床暖房放熱パネルおよび循環ポンプを温水配管で接続して温水を循環させる水回路を構成する前記温水熱交換器と循環ポンプと温水ユニット制御装置を有した温水ユニットと、前記室内ユニット制御装置と前記室外ユニット制御装置との間に前記温水ユニット制御装置を直列に接続して通信を行なう通信手段と、を備えたものである。
【０００８】
また、本発明に係る空気調和機は、室内ユニット制御装置から送信される運転情報を温水ユニット制御装置で受信して温水ユニットを駆動制御するとともに、室外機に必要な運転情報に変換して室外ユニット制御装置へ送信するものである。
【０００９】
また、本発明に係る空気調和機は、温水ユニットに接続され温水を循環させて熱を室内に放出する床暖房放熱パネルと使用者が運転情報を入力する入力装置を備え、床暖房運転と冷暖房空調運転とを一つの入力装置で操作可能としたものである。
【００１０】
【発明の実施の形態】
実施の形態１．
以下、本発明の空気調和機の一実施例を、図示の実施の形態により詳細に説明する。
図１はこの発明の床暖房併用運転可能な空気調和機のシステムの模式図である。図１において、１は冷暖房運転可能な空気調和機の室内機、２は室内機１の運転制御を行なう室内ユニット制御装置、３は床暖房のための温水を加熱する温水ユニット、４は温水ユニット３の運転制御を行なう温水ユニット制御装置、５は冷暖房運転可能な空気調和機の室外機、６は室外機５の運転制御を行なう室外ユニット制御装置である。７ａは室内機１の室内ユニット制御装置２と温水ユニット３の温水ユニット制御装置４の間、そして７ｂは前記温水ユニット制御装置４と室外機５の室外ユニット制御装置６の間を直列に接続し、運転制御に必要な通信を行なうための通信手段、８は冷暖房および床暖房の運転設定等を行なうリモートコントローラ、９は温水ユニット３にて加熱した温水を循環ポンプにより温水配管１０を介して循環させ、温水の熱を放熱することで、床暖房を行なうための床暖房放熱パネルである。
【００１１】
次に、図２は本発明の床暖房併用運転可能な空気調和機の実施例における冷媒回路・水回路・制御方法の概略構成図である。
図２において、１１は圧縮機、１５は圧縮機１１の吐出側に一端が接続され冷房回路と暖房回路とを切り替えるための四路弁、１２は四路弁２の他端に一端が接続された室外熱交換器、１３は室外熱交換器１２の他端に一端が接続された絞り装置としての電動膨張弁、１４は電動膨張弁１３の他端に接続された室内熱交換器、室内熱交換器１４の他端は３つの回路に分かれて接続されており、１６は冷房回路運転時に冷媒を流し、暖房回路運転時に冷媒を流さないように前記室内熱交換器１４の他端に一端が接続された逆止弁、１９は暖房回路時に二段凝縮回路とするために前記室内熱交換器１４の他端に一端が接続された第２の絞り装置、１８は暖房回路時に通常の一段凝縮回路と二段凝縮回路とを切り替えるために前記室内熱交換器１４の他端に一端が接続された電磁弁、２０は前記絞り装置１９と電磁弁１８の他端に一端が接続され、冷媒と水（又はブライン）の熱交換を行う温水熱交換器であり、アキュムレータは前記逆止弁１６と温水熱交換器２０の他端に四路弁１１を介して一端が接続され、他端が圧縮機１０の吸入側に接続され、これらによって環状の冷媒回路を形成している。
【００１２】
前記室外熱交換器１２の近傍には室外ファン２５が、前記室内熱交換器１４の近傍には室内ファン２６および吹き出し方向をかえるフラップ２８が配設されている。また、前記冷媒回路には冷媒回路の運転状態を把握するための温水熱交換器温度センサ１７、室内熱交換器温度センサ２９、室外熱交換器温度センサ３０を備えている。
【００１３】
また、この床暖房併用運転可能な空気調和機では床暖房のための水回路も備えている。９は温水熱交換器２０の水回路の一端に一方端が接続された床暖房放熱パネル、２２は床暖房放熱パネル９の他端に一端が接続され、温水の熱変化による膨張収縮を吸収するためのタンク、２１はタンク２２の他端に一端が接続され、他端が温水熱交換器２０の他端に接続された循環ポンプであり、これらが温水配管で環状に接続され温水を循環させる水回路を形成している。
そして、上記水回路を循環する温水（又はブライン）の動作としては、ポンプ２１の駆動によりタンク２２に貯留した水（又はブライン）が持ち出され温水熱交換器２０へ流入し、ここで高温の冷媒と低温の水が熱交換して温水となる。その温水は温水パイプを介して床暖房放熱パネル９を通過する際、室内空間へ温水の熱を放出または床へ熱を伝えて冷却され、再びタンク２２に戻り戻水として貯留される。
【００１４】
また、この床暖房併用運転可能な空気調和機の水回路において、タンク２２に水位センサ２３を内蔵するとともに、床暖房放熱パネル９からの戻水温度を検知する戻水温度センサ２４を備えている。そして、温水ユニット３の温水ユニット制御装置４は、前記水位センサ２３、戻水温度センサ２４および温水熱交換器温度センサ１７からの検出値を取り込むとともに、運転指令情報および各検出値からポンプ２１の駆動や電磁弁１８の開閉の制御を行う。
【００１５】
また、床暖房可能な空気調和機の制御部は、各種運転設定（冷房／暖房／床暖房／暖房＋床暖房の運転モード、設定温度、設定風量等）を行なう入力装置（リモートコントローラ）８、室内温度を検出する室内温度センサ２７および室内熱交換器１４の配管に設けられた室内熱交換器温度センサ２９による温度検出と室内ファン２６やフラップ２８を駆動制御すると共に温水ユニット制御装置４と制御信号の送受信を行なう室内ユニット制御装置２、循環ポンプ２１や電磁弁１８の制御をすると共に室内ユニット制御装置２および室外ユニット制御装置６と制御信号の送受信を行なう温水ユニット制御装置４、圧縮機１１や四路弁１５や電動膨張弁１３や室外ファン２５の駆動制御をすると共に温水ユニット制御装置４と制御信号の送受信を行なう室外ユニット制御装置６から構成される。
【００１６】
ここで、本発明との比較として従来の冷暖房運転のみの空気調和機を説明する。
図５は、冷暖房可能な従来の空気調和機の冷媒回路および制御方法の概略構成図である。図において、１１は圧縮機、１５は上記圧縮機１の吐出側に一端が接続され冷房回路と暖房回路とを切り替えるための四路弁、１２は上記四路弁１５の他端に一端が接続された室外熱交換器、１３は上記室外熱交換器１２の他端に一端が接続された絞り装置としての電動膨張弁、１４は上記電動膨張弁１３の他端に接続された室内熱交換器であり、アキュムレータが上記室内熱交換器１４の他端に上記四路弁１１を介して一端が接続され、他端が圧縮機１の吸入側に接続されており、これらによって環状の冷媒回路を形成している。
【００１７】
前記室外熱交換器１２の近傍には室外ファン２５が、前記室内熱交換器１４の近傍には室内ファン２６および吹き出し方向を変えるフラップ２８が配設されている。また、この冷媒回路には冷媒回路の運転状態を把握するための室内熱交換器温度センサ２９、室外熱交換器温度センサ３０を備えている。
【００１８】
そして、この空気調和機の制御部は、各種運転設定を行なう入力装置（リモートコントローラ）８、室内ファン２６やフラップ２８を制御すると共に室外ユニット制御装置６と制御信号の送受信を行なう室内ユニット制御装置２、圧縮機１１や四路弁１５や電動膨張弁１３の制御をすると共に室内ユニット制御装置２と制御信号の送受信を行なう室外ユニット制御装置６から成る。
【００１９】
この本発明の床暖房運転併用可能な空気調和機を示す図２と、従来の空気調和機を示す図５との構成の違いからわかるように、本発明の実施の形態１における床暖房併用運転可能な空気調和機では、従来の冷暖房可能な空気調和機に対し、冷媒回路の暖房サイクル時に、二段凝縮回路によって温水を加熱するための絞り装置１９および電磁開閉弁１８が温水熱交換器２０と直列に配管接続され、この温水熱交換器２０より高温の冷媒と熱交換して加熱された温水を循環ポンプ２１で床暖房放熱パネル９に送り込んで循環させ、床暖房放熱パネル９で室内空間へ放熱することにより床暖房を実現している。また、運転をコントロールする通信制御において、従来の空気調和機で室内ユニット制御装置２と室外ユニット制御装置６間で行なっている制御信号の送受信に、本発明では温水ユニット制御装置４を直列に中継接続して上記制御信号を利用して送受信する通信手段を備えることで床暖房の制御を実現している。
【００２０】
以下に上記構成において、床暖房を行なう場合の動作を説明する。
室内空調制御および床暖房制御の入力操作が１つの装置で共用できる入力装置（リモートコントローラ）８から床暖房運転開始の信号を、室内ユニット制御装置２が受けると、この室内ユニット制御装置２から通信手段を介して温水ユニット制御装置４で一度制御信号を受けて、そこからさらに通信手段を介して室外ユニット制御装置６へ床暖房開始の運転要求が送られる。
【００２１】
次に、室外ユニット制御装置６では、この床暖房モードの運転要求を通信手段を介して受信すると、四路弁１５を暖房回路の位置（図２における実線表示位置）に固定し、圧縮機１１の運転を開始する。圧縮機１１から吐出された高温高圧の冷媒は、接続冷媒配管を介して温水ユニット３へ流入するが、逆止弁１６の配設された冷媒配管を通れないので、温水熱交換器２０へ流入する。ここで凝縮して放熱し、電磁開閉弁１８が閉じている時は第２の絞り装置１９を通って減圧された後、室内熱交換器１４で温水熱交換器２０よりも低い凝縮温度で凝縮して放熱する。また、電磁開閉弁１８が開いているときは、電磁開閉弁１８が配設されているバイパス配管を通って、温水熱交換器２０と同じ温度で凝縮して放熱する。
室内熱交換器１４から出た冷媒は、電動膨張弁１３で膨張した後、室外熱交換器１２で蒸発して外気から吸熱し、アキュムレータ１５を介して圧縮機１０の吸入側に戻っていく。
【００２２】
一方、循環ポンプ２１が運転駆動すると、タンク２２に貯留している水（又はブライン）が温水熱交換器２０に送り込まれ、温水熱交換器２０で冷媒の凝縮熱で加熱された後、床暖房放熱パネル９に送り込まれていく。床暖房放熱パネル９に送られた温水は、床暖房放熱パネル９で室内に放熱して冷やされた後、タンク２２に戻って循環が繰り返される。
【００２３】
ここで、圧縮機１１、冷媒回路に対する高圧保護制御について説明する。暖房運転の冷凍サイクルで冷媒が循環している場合、凝縮能力が少なかったり、絞り過ぎたりした時に冷媒回路内の冷媒圧力が異常に上昇し、圧縮機１１や冷媒配管を破壊してしまうことを防止するために、冷媒の圧力が異常に高い場合は、圧縮機１１を停止して冷媒回路を保護する制御を行なっている。冷媒の圧力と温度には、一定の相関関係があることを利用して、図５の従来からの空気調和機では、最も冷媒圧力の高い、室内熱交換器温度センサ２９の検知温度によって冷媒の高圧状態を類推することができる。そこで、室内ユニット制御装置２で検出した室内熱交換器温度センサ２９の温度を、常時室外ユニット制御装置６に送信する。室外ユニット制御装置６で、この受信した室内熱交換器温度センサ２９の検知温度が、ある一定値以上であれば、圧縮機１１の運転周波数を低下させ、または停止させるという保護制御を行なっている。
【００２４】
しかし、図３に示す本発明の床暖房可能な空気調和機では、床暖房併用の暖房運転を行うので二段凝縮回路で温水を加熱するために温水熱交換器２０、及び第２絞り装置１９が追加されたため、暖房運転のサイクルで冷媒が循環している場合でも、常に室内熱交換器温度センサ２９の温度が最も高いわけではなく、図２に示す従来からの空気調和機とは異なる。
【００２５】
上記冷媒温度の関係を本発明の床暖房併用可能な空気調和機におけるモリエル線図（図４）を用いて説明する。温水ユニット３の冷媒回路上の第２絞り装置１９と並列回路として設けた電磁開閉弁１８が閉じている時は、温水熱交換器２０から流出した冷媒が前記第２絞り装置１９を通って減圧され、更に室内熱交換器１４で温水熱交換器２０よりも低い凝縮温度で凝縮して放熱する二段凝縮回路となる。このため、室内熱交換器温度センサ２９と温水熱交換器温度センサ１７の間には、室内熱交換器温度センサ２９の検知温度＜温水熱交換器温度センサ１７の検知温度、となる関係が成り立つ。また、電磁開閉弁１８が開いているときは電磁弁１８が配設されているバイパス配管を通って、温水熱交換器２０とほぼ同じ温度で室内熱交換器１４にて凝縮して放熱するので、従来からの空気調和機と同様の一段凝縮回路になるため、室内熱交換器温度センサ２９≒温水熱交換器温度センサ１７の関係になる。
【００２６】
本実施の形態の空気調和機では、室内ユニット制御装置２から送信されてくる室内熱交換器温度センサ２９による検知温度を温水ユニット制御装置４で一旦受信し、温水ユニット制御装置４で電磁開閉弁１８が閉じている時は、温水熱交換器温度センサ１７による検知温度を、電磁開閉弁１８が開いているときは、室内熱交換器温度センサ２９または温水熱交換器温度センサ１７による検知温度の大きい方を室外ユニット制御装置６に信号を置換して送信することで、冷媒回路における常に最も高い冷媒の温度を室外ユニット制御装置６に送信することが可能になるため、室外ユニット制御装置６は、従来の一般的にある空気調和機をそのまま利用することが可能になる。これにより、従来の空気調和機に温水ユニットを接続することのみで、空気調和機での床暖房が容易に可能となり、既存の空気調和機の使用者は安価に床暖房を行なうことが可能になる。更に、空気調和機と温水ユニット、床暖房放熱パネルがそれぞれ独立した構成であるため、このうちのいずれかが故障した場合に、故障した部分のみを交換するだけでよく、製品のリデュースにも貢献できる効果がある。
【００２７】
また本発明の空気調和機の実施例では、従来の一般的にある空気調和機の入力装置（リモートコントローラ）８に床暖房運転のＯＮ／ＯＦＦ、床暖房放熱パネル９における床温度の設定等の操作キーを追加することで、冷房または暖房運転と床暖房運転を一つの入力装置（リモートコントローラ）８で操作可能としている。そして、前記リモートコントローラ８からの運転指令情報を室内機１の室内ユニット制御装置２が受信し、通信手段により温水ユニット制御装置４を経て室外ユニット制御装置６へ運転情報を送信する。この温水ユニット制御装置４では、室内ユニット制御装置４から受けた運転情報のなかで床暖房運転機能に関する場合は、温水ユニット３に有する各センサからの検出値を入力し、冷媒回路および水回路上の制御部品を動作させるとともに、室外ユニット制御装置６へは圧縮機１１、四方弁１５、電動膨張弁１３などを駆動制御するための情報を床暖房運転を行わない場合と同じ制御として送信する。また、床暖房運転を必要としない通常の冷房又は暖房運転の指令情報を受信した場合は、温水ユニット制御装置４ではそのまま指令情報による制御内容を室外ユニット制御装置６へ送信する。これにより、室外ユニット制御装置６では冷房または暖房運転のみを行う従来の空気調和機のままの制御で対応することが可能となる。これにより、空気調和機で床暖房を行なうための専用の室外機は必要とせず、たとえば、既存の空気調和機の使用者は、上記温水ユニット３と床暖房放熱パネル９のみを追加するだけで、安価に床暖房を実現することが可能になる。また、室内機、温水ユニット、室外機の各制御装置間を直列に通信を行なう通信手段を設けているので、温水ユニットと室外機を一体型にすることが可能であり、この場合、通信手段に関する設置工事が、従来の空気調和機と同じように室内機と温水ユニット間のみ行なえばよいため、設置工事の手間が簡略化できる。
【００２８】
また、従来の空気調和機の入力装置（リモートコントローラ）８に前記床暖房専用の操作キーを追加しなくても、既存のキーを利用することで、より簡単に床暖房運転をコントロールすることも可能である。例えば、除湿運転時に湿度の設定を行なう上下キーは、暖房または、床暖房運転時には、湿度の設定を行なわないため、使用していない。この上下キーを床暖房運転中の場合には、床温度を設定するキーに割り当て、ダブルファンクションで使用することも可能である。これにより、床暖房運転を従来の冷暖房運転用と同じリモートコントローラにて操作指令が行なえ、操作性がよく、また安価に床暖房併用可能な空気調和機を提供することができる。
【００２９】
【発明の効果】
以上のように本発明に係る空気調和機は、室内に配置され室内空気を加温又は冷却する室内熱交換器と室内ユニット制御装置を有する室内機と、前記室内熱交換器と配管で順次接続され冷媒回路を構成する圧縮機、冷暖房切換用の四方弁、室外熱交換器および減圧装置と室外ユニット制御装置を有する室外機と、前記冷媒回路に流れる冷媒と水またはブラインとを熱交換させる温水熱交換器、床暖房放熱パネルおよび循環ポンプを温水配管で接続して温水を循環させる水回路を構成する前記温水熱交換器と循環ポンプと温水ユニット制御装置を有した温水ユニットと、前記室内ユニット制御装置と前記室外ユニット制御装置との間に前記温水ユニット制御装置を直列に接続して通信を行なう通信手段と、を備えたので、室内機と室外機に床暖房放熱パネルが温水配管で繋がった温水ユニットを冷媒配管で接続するとともに、室内および室外ユニット制御装置の間に温水ユニット制御装置を接続するだけで、空気調和機での床暖房が容易に可能となり、更に、室内機、室外機、温水ユニットおよび床暖房放熱パネルがそれぞれ独立した構成であるので、このうちのいずれかが故障した場合に、故障した部分のみを交換するだけでよく、製品リデュースの効果が得られる。
【００３０】
また、本発明に係る空気調和機は、室内ユニット制御装置から送信される運転情報を温水ユニット制御装置で受信して温水ユニットを駆動制御するとともに、室外機に必要な運転情報に変換して室外ユニット制御装置へ送信するので、室外ユニット制御装置では、従来の冷暖房空調空調運転に行なっている制御をそのまま利用することができ、空気調和機で床暖房を行うための専用の室外機は必要としない。さらに、温水ユニットと室外機を一体型にすることが可能であり、この場合、通信手段の設置工事が、既存の空気調和機と同様、室内機と温水ユニット間のみ行なえばよいため、通信手段の設置工事の手間が簡略化できる。
【００３１】
また、本発明に係る空気調和機は、温水ユニットに接続され温水を循環させて熱を室内に放出する床暖房放熱パネルと使用者が運転情報を入力する入力装置を備え、床暖房運転と冷暖房空調運転とを一つの入力装置で操作可能としたので、床暖房運転の運転操作を冷／暖房運転時に使用するリモートコントローラーのみで行なうことが可能であり、操作性が向上するだけでなく、より安価に床暖房可能な空気調和機を提供する効果が得られる。
【図面の簡単な説明】
【図１】本発明の実施の形態１に係る空気調和機のシステムの模式図である。
【図２】本発明の実施の形態１に係る空気調和機の冷媒回路・水回路・制御方法の概略構成図である。
【図３】本発明の実施の形態１に係る空気調和機のモリエル線図である。
【図４】従来の空気調和機の冷媒回路・水回路・制御方法の概略構成図である。
【図５】従来の空気調和機の冷媒回路・制御方法の概略構成図である。
【符号の説明】
１　室内機、　２　室内ユニット制御装置、　３　温水ユニット、　４　温水ユニット制御装置、　５　室外機、　６　室外ユニット制御装置、　７　通信手段、　８　入力装置（リモートコントローラ）、　９　床暖房放熱パネル、１０温水パイプ、　１１　圧縮機、　１２　室外熱交換器、　１３　電動膨張弁、１４　室内熱交換器、　１５　四路弁、　１６　逆止弁、　１７　温水熱交換器温度センサ、　１８　電磁開閉弁、　１９　第２絞り装置、　２０　温水熱交換器、　２１　循環ポンプ、　２２　タンク、　２３　水位センサ、　２４　戻水温度センサ、　２５　室外ファン、　２６　室内ファン、　２７　室内温度センサ、　２８　フラップ、　２９　室内熱交換器温度センサ、　３０　室外熱交換器温度センサ。
【図１】
2004028522.tif 000003
【図２】
2004028522.tif 000004
【図３】
2004028522.tif 000005
【図４】
2004028522.tif 000006
【図５】
2004028522.tif 000007